(57)【要約】【課題】  ボードの背面と周囲を金属製の裏打ち板で覆った構造のパネル板を支柱の表裏両面に簡単且つ確実に取付けることができるとともに、製造、保管時に嵩張らない間仕切パネルを提供する。【解決手段】  断面略コ字形の天レール１と地レール間に間隔を隔てて立設した支柱３の表裏両面にパネル板５を取付けてなる間仕切パネルであって、パネル板は、ボード８の背面と周囲を金属製の裏打ち板９で覆った構造であり、裏打ち板の裏面側の両側縁に沿って補強杆６を取付け、補強杆の上端部と裏打ち板の間に上方開放のスリット溝１０を形成するとともに、補強杆の下端に係止爪１１を突設し、支柱の左右側面の下部に、水平な受板１２に開口１３を有する支持部材７を取付け、スリット溝内に天レールの垂下板１４を受入れ、前記補強杆の下端を支持部材の受板に載置し、係止爪を開口に挿入係止する。【選択図】        図２
2005155275.tif 000002
【特許請求の範囲】
【請求項１】
断面略コ字形の天レールと地レール間に間隔を隔てて立設した支柱の表裏両面にパネル板を取付けてなる間仕切パネルであって、前記パネル板は、ボードの背面と周囲を金属製の裏打ち板で覆った構造であり、前記裏打ち板の裏面側の両側縁に沿って補強杆を取付け、該補強杆の上端部と裏打ち板の間に上方開放のスリット溝を形成するとともに、該補強杆の下端に係止爪を突設し、前記支柱の左右側面の下部に、水平な受板に開口を有する支持部材を取付け、前記スリット溝内に前記天レールの垂下板を受入れ、前記補強杆の下端を前記支持部材の受板に載置するとともに、前記係止爪を開口に挿入係止してなることを特徴とする間仕切パネル。
【請求項２】
前記補強杆は、断面略Ｃ字形のチャンネル部材であり、前記パネル板の裏打ち板へ接合する接合板の両側縁に側面板を有するとともに、該両側面板の縁部を対向する方向に折曲した折曲板を有し、前記接合板の上部に前記スリット溝となる切欠部を形成するとともに、前記折曲板の下端を下方へ延長して前記係止爪としてなる請求項１記載の間仕切パネル。
【請求項３】
前記補強杆の接合板の下部に横長孔を形成し、該横長孔に側面視略Ｚ字形の受金具の上片を係止するとともに、該受金具の下片で前記パネル板の下端縁を載支した状態で、該受金具より上方の接合板を両面粘着テープで前記裏打ち板に粘着するとともに、前記接合板の上部を前記裏打ち板にネジ止めしてなる請求項２記載の間仕切パネル。
【請求項４】
隣接する前記支柱間に取付けた横桟より下方に前記パネル板を取付けるとともに、上方に該パネル板と同一構造の欄間パネル板を取付けてなる間仕切パネルであって、前記横桟は、下向き開放した断面略コ字形の長尺部材で、上板の前後縁に前板と後板を垂下するとともに、上板の中央部に沿って凹溝を形成したものであり、前記パネル板に取付けた補強杆のスリット溝内に前記横桟の前板又は後板を受入れ、前記欄間パネル板に取付けた補強杆の下端の係止爪を前記横桟の凹溝内に係止してなる請求項１〜３何れかに記載の間仕切パネル。
【請求項５】
隣接する前記パネル板間若しくは前記パネル板と欄間パネル板間の目地部に、断面形状においてコ字形の埋設部の開口縁に押え片を外向きに形成した目地部材を嵌合し、前記支柱若しくは横桟にネジ止めするとともに、該目地部材の溝内に断面略コ字形のカバー部材を着脱可能に嵌着してなる請求項１〜４何れかに記載の間仕切パネル。
【発明の詳細な説明】
【技術分野】
【０００１】
本発明は、間仕切パネルに係わり、更に詳しくは間隔を隔てて立設した支柱の表裏両面にパネル板を取付けてなる間仕切パネルに関するものである。
【背景技術】
【０００２】
従来から、天井と床面にそれぞれ対向して断面略コ字形の天レールと地レールを取付け、前記地レールの凹溝内に支柱の下端に取付けたアジャスターを配置するとともに、支柱の上端部を天レールの凹溝内に上方へ突き合い支持して当該支柱を等間隔で立設し、隣接する両支柱の表裏両面にパネル板を取付けた構造の間仕切パネルが提供されている。ここで、前記パネル板の構造は、石膏ボード等の防音性に優れた芯材の表面をスチール製の表面板で覆ったものが一般的であり、表面板の両側縁を後方へ略Ｌ字形に折曲した縁板部に切欠部や開口を形成し、該切欠部や開口を利用して支柱に取付けたフック片に係止して取付けていた。
【０００３】
例えば、特許文献１では、支柱間の下端部間に支持金具で取付けてパネル支持杆を渡設し、該パネル支持杆の水平な下板でパネル板の下端を載支するとともに、支柱の表裏面側に開設した係止孔に係止した係止部材にパネル板の両側縁板部に形成した開口を落とし込み係止する構造となっている。
【０００４】
また、特許文献２では、支柱の下端部にアジャスター受けを兼ねた下部ブラケットを取付け、該下部ブラケットのパネル係止片にてパネル板の裏面に穿孔された係止孔を係止するとともに、該下部ブラケットの下端に一体形成したパネル支承片にパネル板の下端縁を支持し、更に支柱の上部に取付けた上部ブラケットのパネル係止片にパネル板の裏面に穿孔した係止孔を係止する構造となっている。
【０００５】
最近、ホルムアルデヒド等のシックハウス症候群の原因となる化学物質を吸着する機能や調湿機能を有するボードを用い、該ボードがスチール等の金属板で外被されないように、つまりボードの背面と周囲を薄い金属製の裏打ち板で覆ったパネル板を用いることが提案されている。このような構造のパネル板の裏面には、該パネル板を係止するための係止孔を加工することが難しく、前述の支持構造を採用することができない。また、裏打ち板の周囲を表面側まで折り返すことができないので、裏打ち板の縁部で強度を高めることも困難である。更に、このようなパネル板は、施工現場で支柱に取付けた後、ボードの表面側に塗装やクロス張り等の仕上げを行うので、仕上げ工程の前に目地部材で表面周縁部を押さえ込んで支柱や横桟に取付けることはできない。
【特許文献１】実開平２−８５７１３号公報（第４図、第６図）
【特許文献２】特許第２８９５２０８号公報（第１図、第２図）
【発明の開示】
【発明が解決しようとする課題】
【０００６】
そこで、本発明が前述の状況に鑑み、解決しようとするところは、ボードの背面と周囲を金属製の裏打ち板で覆った構造のパネル板を支柱の表裏両面に簡単且つ確実に取付けることができるとともに、製造、保管時に嵩張らない間仕切パネルを提供する点にある。併せて、パネル板を支柱に取付けた状態で、パネル板の表面に塗装やクロス張り等の仕上げを行うことが可能であり、仕上げ工程の後にパネル板を支柱や横桟等に確実に取付けることができる間仕切パネルを提供する点にある。
【課題を解決するための手段】
【０００７】
本発明は、前述の課題解決のために、断面略コ字形の天レールと地レール間に間隔を隔てて立設した支柱の表裏両面にパネル板を取付けてなる間仕切パネルであって、前記パネル板は、ボードの背面と周囲を金属製の裏打ち板で覆った構造であり、前記裏打ち板の裏面側の両側縁に沿って補強杆を取付け、該補強杆の上端部と裏打ち板の間に上方開放のスリット溝を形成するとともに、該補強杆の下端に係止爪を突設し、前記支柱の左右側面の下部に、水平な受板に開口を有する支持部材を取付け、前記スリット溝内に前記天レールの垂下板を受入れ、前記補強杆の下端を前記支持部材の受板に載置するとともに、前記係止爪を開口に挿入係止してなる間仕切パネルを構成した（請求項１）。
【０００８】
ここで、前記補強杆は、断面略Ｃ字形のチャンネル部材であり、前記パネル板の裏打ち板へ接合する接合板の両側縁に側面板を有するとともに、該両側面板の縁部を対向する方向に折曲した折曲板を有し、前記接合板の上部に前記スリット溝となる切欠部を形成するとともに、前記折曲板の下端を下方へ延長して前記係止爪としてなるものである（請求項２）。
【０００９】
そして、前記補強杆の接合板の下部に横長孔を形成し、該横長孔に側面視略Ｚ字形の受金具の上片を係止するとともに、該受金具の下片で前記パネル板の下端縁を載支した状態で、該受金具より上方の接合板を両面粘着テープで前記裏打ち板に粘着するとともに、前記接合板の上部を前記裏打ち板にネジ止めしてなることが好ましい（請求項３）。
【００１０】
また、隣接する前記支柱間に取付けた横桟より下方に前記パネル板を取付けるとともに、上方に該パネル板と同一構造の欄間パネル板を取付けてなる間仕切パネルであって、前記横桟は、下向き開放した断面略コ字形の長尺部材で、上板の前後縁に前板と後板を垂下するとともに、上板の中央部に沿って凹溝を形成したものであり、前記パネル板に取付けた補強杆のスリット溝内に前記横桟の前板又は後板を受入れ、前記欄間パネル板に取付けた補強杆の下端の係止爪を前記横桟の凹溝内に係止してなるのである（請求項４）。
【００１１】
更に、隣接する前記パネル板間若しくは前記パネル板と欄間パネル板間の目地部に、断面形状においてコ字形の埋設部の開口縁に押え片を外向きに形成した目地部材を嵌合し、前記支柱若しくは横桟にネジ止めするとともに、該目地部材の溝内に断面略コ字形のカバー部材を着脱可能に嵌着してなることがより好ましい（請求項５）。
【発明の効果】
【００１２】
以上にしてなる請求項１に係る発明の間仕切パネルは、ボードの背面と周囲を金属製の裏打ち板で覆った構造のパネル板を、天レールと地レール間に間隔を隔てて立設した支柱の表裏両面に補強杆を介して、スリット溝内に天レールの垂下板を受入れ、補強杆の下端を支柱に取付けた支持部材の受板に載置し、補強杆下端の係止爪を受板の開口に挿入係止するだけの作業により、簡単且つ確実に取付けることができ、また補強杆はパネル板の裏打ち板に後付けにて取付けるので、パネル板の背面に突出部が無く、製造、保管時に嵩張らないのである。また、パネル板は、表面側にボードが位置するので、このボードとしてホルムアルデヒド等のシックハウス症候群の原因となる化学物質を吸着する機能や調湿機能を有するボードを用いれば、室内環境の改善に寄与することができる。
【００１３】
請求項２によれば、パネル板の裏打ち板はボードの背面と周囲を覆った形状であるので、周縁部の強度が弱く、パネル板の剛性が低いが、裏打ち板の裏面側の両側縁に沿って断面略Ｃ字形のチャンネル部材からなる補強杆を取付けることにより、パネル板の剛性を格段に高めることができ、しかも補強杆の接合板の上部に切欠部を形成するだけで、裏打ち板との間にスリット溝を形成することができるのである。
【００１４】
請求項３によれば、パネル板の裏打ち板の裏面側に補強杆を必要なときに簡単に取付けることができるので、製造、保管時には補強杆を取付けない状態とすることで、パネル板を嵩張らないように積層することができ、施工現場へ搬送する直前にパネル板に補強杆を工場で取付けるので、品質も保証できる。また、パネル板の裏打ち板に補強杆の接合板を両面粘着テープで粘着し、接合板の上部を裏打ち板にネジ止めするだけの簡単な取付けにも係わらず、接合板に形成した横長孔に受金具の上片を係止するとともに、該受金具の下片で前記パネル板の下端縁を載支した状態とするので、当該補強杆を介して支柱にパネル板を取付けた際に、パネル板の荷重を受金具で確実に支持することができる。
【００１５】
請求項４によれば、隣接する前記支柱間に取付けた横桟より下方に前記パネル板を取付けるとともに、上方に該パネル板と同一構造の欄間パネル板を取付けてなる間仕切パネルであっても、横桟は、下向き開放した断面略コ字形の長尺部材で、上板の前後縁に前板と後板を垂下するとともに、上板の中央部に沿って凹溝を形成したものとしたので、前板と後板は天レールの垂下板と同じ機能を果たし、従ってパネル板の構造に変更はなく、また横桟の凹溝は前記支持部材の受板に形成した開口と同じ機能を果たすので、欄間パネル板もパネル板と上下寸法が異なる以外は全く同じ構造のものを用いることができる。
【００１６】
請求項５によれば、各パネル板、欄間パネル板の表面を塗装やクロス張り等の仕上げを行った後、隣接する前記パネル板間若しくは前記パネル板と欄間パネル板間の目地部に、目地部材の埋設部を嵌合するとともに、前記支柱若しくは横桟にネジ止めすることで、目地部材の開口縁に外向きに形成した押え片で、パネル板若しくは欄間パネル板の表面縁部を押さえて最終的に支柱若しくは横桟に確実に取付けることができ、そして目地部材の溝内に断面略コ字形のカバー部材を着脱可能に嵌着するので、外観性を高めることができる。また、カバー部材は取り外し可能であるので、パネル板若しくは欄間パネル板の表面の塗装を変えたり、クロスを張り替えたり、模様替えをする際に、目地部材も簡単に取り外すことができる。
【発明を実施するための最良の形態】
【００１７】
次に、添付図面に示した実施形態に基づき、本発明を更に詳細に説明する。図１〜図７は本発明の間仕切パネルの代表的実施形態を示し、図中符号１は天レール、２は地レール、３は支柱、４はアジャスター、５はパネル板、６は補強杆、７は支持部材をそれぞれ示している。また、符号Ｓは天井、Ｆは床面を示している。
【００１８】
本発明に係る間仕切パネルは、断面略コ字形の天レール１と地レール２間に間隔を隔てて立設した支柱３の表裏両面にパネル板５，５を取付けてなる間仕切パネルであって、前記パネル板５は、ボード８の背面と周囲を金属製の裏打ち板９で覆った構造であり、前記裏打ち板９の裏面側の両側縁に沿って補強杆６，６を取付け、該補強杆６の上端部と裏打ち板９の間に上方開放のスリット溝１０を形成するとともに、該補強杆６の下端に係止爪１１，１１を突設し、前記支柱３の左右側面の下部に、水平な受板１２に開口１３，１３を有する支持部材７を取付け、前記スリット溝１０内に前記天レール１の垂下板１４を受入れ、前記補強杆６の下端を前記支持部材７の受板１２に載置するとともに、前記係止爪１１，１１を開口１３，１３に挿入係止してなる構造である。
【００１９】
更に詳しくは、前記天レール１は、下向きに開放した断面略コ字形の長尺部材であり、前後に垂下板１４，１４を有し、天井Ｓにネジ１５で取付ける。また、前記地レール２は、上向きに開放した断面略コ字形の長尺部材であり、前後に立起板１６，１６を有し、床面Ｆにアンカーボルト１７で取付ける。
【００２０】
前記支柱３は、断面略Ｃ字形の四角形の部材であり、左右一側面側に開口部を有しているが、完全に四角パイプ状のものでも良い。この支柱３の下端には、アジャスター４を内嵌し、該アジャスター４を前記地レール２の凹溝内に載置するとともに、支柱３の上端部を前記天レール１の凹溝内に嵌合するとともに、図示しない固定部材で上方へ突き合い状態で取付け、一定間隔で間隔を隔てて立設している。
【００２１】
前記パネル板５は、前記ボード８の背面と周囲面をスチール板を箱型に成形した裏打ち板９に固着した構造であり、前記ボード８をホルムアルデヒド等のシックハウス症候群の原因となる化学物質の吸着機能を有する材質で形成している。例えば、前記ボード８として、鉱物質繊維と火山性ガラス質材料を原料としたエコボードやダイライト（共に大建工業株式会社の商品名）を用いることができる。尚、前記ボード８の表面には、後述する仕上げ工程で湿気透過性を有する塗料を塗布し又は表面をクロスで覆い又は表面に湿気透過性を有する塗料を塗布した上にクロスで覆って仕上げる。
【００２２】
また、前記補強杆６は、図２に示すように、断面略Ｃ字形のチャンネル部材であり、前記パネル板５の裏打ち板９へ接合する接合板１８の両側縁に側面板１９，１９を有するとともに、該両側面板１９，１９の縁部を対向する方向に折曲した折曲板２０，２０を有し、前記接合板１８の上部に前記スリット溝１０となる切欠部２１を形成するとともに、前記折曲板２０，２０の下端を下方へ延長して前記係止爪１１，１１としている。そして、前記補強杆６の接合板１８の下部に横長孔２２を形成し、該横長孔２２に側面視略Ｚ字形の受金具２３の上片２４を係止するとともに、該受金具２３の下片２５で前記パネル板５の下端縁を載支した状態で、該受金具２３より上方の接合板１８を両面粘着テープ２６で前記裏打ち板９に粘着するとともに、前記接合板１８の上部を前記裏打ち板９に１本のネジ２７にて取付けている。
【００２３】
前記支持部材７は、図２及び図４に示すように、垂直な基板２８の下部に開口１３，１３を有する水平な受板１２を折曲形成するとともに、該受板１２の前後両縁に補強片２９，２９を垂下形成し、前記受板１２とで側面視倒コ字形となし、そして前記基板２８の上端に前記受板１２とは反対側に係止片３０を折曲形成し、前記補強片２９，２９の側端に前記アジャスター４に当接する突片３１，３１を形成したものである。この支持部材７は、前記支柱３の左右側面の下部に形成した横長孔３２、若しくは開口部を有する側では切欠溝３３に前記係止片３０を挿入係止するとともに、前記突片３１，３１をアジャスター４の側面に当止し、前記基板２８の取付孔３４に挿通したネジ３５を前記支柱３の側面若しくは開口部を通して前記アジャスター４の側面に形成した螺孔３６に螺合して取付けるのである。
【００２４】
そして、前記パネル板５の裏面側に取付けた補強杆６，６を、隣接する両支柱３，３の間に位置させ、若干斜めにした状態で、前記補強杆６の上部のスリット溝１０内に前記天レール１の垂下板１４を受け入れてから、パネル板５の両側部を支柱３，３の表裏一側面に沿わせ、下方へ移動させて補強杆６の下端の係止爪１１，１１を、支柱３の下端部の左右側面に取付けた支持部材７の受板１２の開口１３，１３に挿入係止するとともに、該補強杆６の下端を受板１２で載支して取付けるのである。このパネル板５の取付状態は、仮止めに相当し、この状態でパネル板５のボード８の表面に塗装やクロス張り等の仕上げを行うのである。
【００２５】
それから、図５〜図７に示すように、隣接する前記パネル板５，５間に形成される目地部３７に、断面形状においてコ字形の埋設部３９の開口縁に押え片４０，４０を外向きに形成した目地部材３８を嵌合し、前記支柱３にネジ４１にて取付けるとともに、該目地部材３８の溝４２内に断面略コ字形のカバー部材４３を着脱可能に嵌着する。この目地部材３８の押え片４０でパネル板５の表面の側縁部を保持した状態が本止めである。このように目地部材３８でパネル板５を強固に固定するので、前記補強杆６の裏打ち板９への取付強度に対する要求は緩和される。従って、前述のような簡単な方法でパネル板５に補強杆６を取付けることが許されるのである。
【００２６】
このように、前記パネル板５を支柱３，３に取付け、表面の仕上げを済ませた後、目地部材３８で完全にパネル板５を支柱３に固定して施工は完了する。しかし、長年の使用によって表面が汚れたり、また模様替えをしたくなったとき、前記目地部材３８の押え片４０でパネル板５の表面の側縁部を保持した状態のままでは、塗装をしたり、クロスを張り替えたりすることができない。そこで、本発明では、前記目地部材３８を簡単に取り外すことができるような工夫を施している。
【００２７】
それには、前記目地部材３８の溝４２内に嵌着したカバー部材４３を簡単に取り外すことができなければならない。そのため、前記目地部材３８の溝４２内の対向壁奥部に小さい突出高さの突条４４，４４を形成し、前記カバー部材４３を溝４２内に嵌合した際にその両脚片４５，４５の遊端部が突条４４，４４に乗り上げ、両脚片４５，４５の弾性力によって保持されるようにする。更に、前記カバー部材４３の両脚片４５，４５の遊端部外側面で前記突条４４，４４に対応する位置に凸台部４６，４６を形成するとともに、前記目地部材３８の溝４２内にカバー部材４３を嵌着した状態で、該カバー部材４３が１ｍｍ程度溝４２内に埋没するように寸法設定している。このような構造としたことで、前記カバー部材４３の端部をドライバーの先端等で少し起こせば目地部材３８の溝４２内から出てくるので、その部分を摘んでカバー部材４３全体を引き出すことができ、その状態で前記ネジ４１を外せば目地部材３８も外すことができるのである。
【００２８】
次に、図８及び図９に示した他の実施形態を説明する。本実施形態は、隣接する前記支柱３，３間に取付けた横桟４７より下方に前記パネル板５を取付けるとともに、上方に該パネル板５と同一構造の欄間パネル板４８を取付けてなる間仕切パネルである。そして、前記横桟４７は、下向き開放した断面略コ字形の長尺部材で、上板４９の前後縁に前板５０と後板５１を垂下するとともに、上板４９の中央部に沿って凹溝５２を形成したものであり、前記パネル板５に取付けた補強杆６のスリット溝１０内に前記横桟４７の前板５０又は後板５１を受入れ、前記欄間パネル板４８に取付けた補強杆６の下端の係止爪１１，１１を前記横桟４７の凹溝５２内に係止してなる構造である。ここで、前記パネル板５と欄間パネル板４８とは、上下寸法が異なる以外は全く同一構造であるので、前記欄間パネル板４８の上部は補強杆６のスリット溝１０内に天レール１の垂下板１４を受け入れて取付けることは前記同様である。勿論、前記パネル板５の下部は、補強杆６の下端を支持部材７の受板１２に載支するとともに、係止爪１１，１１を受板１２の開口１３，１３内に係止して取付けるのである。
【００２９】
前記横桟４７を前記支柱３に取付ける構造は、いたって簡単であり、アングル材５３の垂直板５４を支柱３の側面にネジ止めし、水平板５５に横桟４７の上板４９から下方へ突出した凹溝５２部分を載置し、上方からネジ止めしている。
【００３０】
この場合、前記パネル板５と欄間パネル板４８との間には、パネル板５，５間の場合と同様に目地部が形成され、この目地部に前記目地部材３８を嵌合して横桟４７にネジ止めし、両押え板４０，４０でパネル板５の表面上縁部と欄間パネル板４８の表面下縁部を保持し、そして前記カバー部材４３を目地部材３８の溝４２内に着脱可能に嵌着するのである。その他の構成は、前記同様であるので、同一構成には同一符号を付してその説明は省略する。
【００３１】
次に、図１０及び図１１に示した実施形態に基づいてガラスパネルを説明する。本実施形態では、前述の欄間パネル板４８の設ける代わりにその位置にガラスパネル５６を設けた間仕切パネルである。前記同様に隣接する支柱３，３間の所定高さ位置に前記同様な横桟４７を渡設する。前記ガラスパネル５６は、正面視四角形の枠体５７とその内周部に保持したガラス板５８とから構成されている。前記枠体５７は、前記支柱３，３に外嵌する縦枠５９，５９と、横桟４７に外嵌する下横枠６０と、天レール１に外嵌する上横枠６１とを四角形になるように連結し、各縦枠５９，５９、下横枠６０及び上横枠６１の内周面に凹溝６２を形成した構造であり、該凹溝６２内にパッキン材６３を介して前記ガラス板５８の周囲を保持してガラスパネル５６を構成している。ここで、前記パネル板５の上端部と枠体５７の下横枠６０の下端部との間には目地部が形成され、前記同様に目地部に目地部材３８をネジ止めし、該目地部材３８の溝４２内にカバー部材４３を嵌着する。
【００３２】
また、図１２に示した実施形態に基づいてオープンパネルを説明する。本実施形態では、前述の欄間パネル板４８の設ける代わりにその位置にオープンパネル６４を設けた間仕切パネルである。前記オープンパネル６４は、正面視四角形の枠体であり、前記ガラスパネル５６の枠体５７において凹溝６２が無い構造である。即ち、前記オープンパネル６４は、前記支柱３，３に外嵌する縦枠６５，６５と、横桟４７に外嵌する下横枠６６と、天レール１に外嵌する上横枠６７とを四角形になるように連結したものである。そして、前記同様に前記パネル板５とオープンパネル６４の下横枠６６との間に形成されるネジ部に、前記目地部材３８とカバー部材４３を取付ける。
【００３３】
また、図１３は、前記オープンパネル６４の下方にドアパネル６８を設けた間仕切パネルであり、表裏のパネル板５，５の代わりにドアパネル６８を設けている。この場合、ドアパネル６８を設ける位置の地レール２は切断している。そして、隣接する支柱３，３と横桟４７とにドア枠６９を取付け、該ドア枠６９にドアパネル６８を開閉可能に取付けている。この場合も、前記ドア枠６９とパネル板５、オープンパネル６４との間、更には他の他の態様として欄間パネル板４８やガラスパネル５６との間に形成される目地部に、前記目地部材３８とカバー部材４３を取付ける。
【００３４】
最後に、図１４及び図１５は、間仕切パネルの直角に屈曲したコーナー部における構造を示している。このコーナー部では、前記支柱３の端部側にコーナーカバー７０を取付け、該コーナーカバー７０と一方にパネル板５との間に形成される目地部を利用し、該目地部が中心になるように連結支柱７１を配置し、該連結支柱７１を目地部を通して前記支柱３にネジ止めし、該連結支柱７１には前記同様に表裏両面にパネル板５，５を取付ける。
そして、コーナー部の内側における一方のパネル板５の表面と他方のパネル板５の側端との間に形成される目地部、及びコーナー部の外側におけるコーナーカバー７０とパネル板５の側端との間に形成される目地部には、図１５に示すような目地部材７２を取付ける。この目地部材７２は、前記目地部材３８の一方の押え板４０を取り除いた形状であり、その他の構造は前記同様である。また、この目地部材７２に嵌着するカバー部材７３の構造も前記カバー部材４３と同一である。前記目地部材７２に有する押え板４０でパネル板５の表面側端部を保持するのである。尚、前記コーナーカバー７０は、前記支柱３にネジ止めするが、更に該支柱３の下端部に取付けた受部材７４でその他の構成は、前記同様であるので、同一構成には同一符号を付してその説明は省略する。
【図面の簡単な説明】
【００３５】
【図１】本発明に係る間仕切パネルの縦断面図である。
【図２】同じく要部の分解斜視図である。
【図３】パネル板の構造を示し、（ａ）は正面図、（ｂ）は側面図、（ｃ）は底面図をそれぞれ示している。
【図４】パネル板の下部支持構造を示す部分省略正面図である。
【図５】本発明に係る間仕切パネルの横断面図である。
【図６】同じく支柱周りの拡大横断面図である。
【図７】目地部材の取付構造を示す部分分解斜視図である。
【図８】隣接する支柱間に横桟を取付け、横桟の下方にパネル板を、上方に欄間パネル板を取付ける構造の間仕切パネルの実施形態を示す省略正面図である。
【図９】同じく欄間パネル板を有する間仕切パネルの縦断面図である。
【図１０】上部にガラスパネルを設けた間仕切パネルの縦断面図である。
【図１１】同じく拡大横断面図である。
【図１２】上部にオープンパネルを有する間仕切パネルの縦断面図である。
【図１３】上部にオープンパネルを有し、下部にドアパネルを有する間仕切パネルの縦断面図である。
【図１４】直角に屈曲したコーナー部を有する間仕切パネルの構造を示し、（ａ）は部分横断面図、（ｂ）は下部の省略側面図である。
【図１５】同じくコーナー部において使用する目地部材とカバー部材を示す部分斜視図である。
【符号の説明】
【００３６】
１  天レール            ２  地レール
３  支柱                ４  アジャスター
５  パネル板            ６  補強杆
７  支持部材            ８  ボード
９  裏打ち板            １０  スリット溝
１１  係止爪            １２  受板
１３  開口              １４  垂下板
１５  ネジ              １６  立起板
１７  アンカーボルト    １８  接合板
１９  側面板            ２０  折曲板
２１  切欠部            ２２  横長孔
２３  受金具            ２４  上片
２５  下片              ２６  両面粘着テープ
２７  ネジ              ２８  基板
２９  補強片            ３０  係止片
３１  突片              ３２  横長孔
３３  切欠溝            ３４  取付孔
３５  ネジ              ３６  螺孔
３７  目地部            ３８  目地部材
３９  埋設部            ４０  押え板
４１  ネジ              ４２  溝
４３  カバー部材        ４４  突条
４５  両脚片            ４６  凸台部
４７  横桟              ４８  欄間パネル板
４９  上板              ５０  前板
５１  後板              ５２  凹溝
５３  アングル材        ５４  垂直板
５５  水平板            ５６  ガラスパネル
５７  枠体              ５８  ガラス板
５９  縦枠              ６０  下横枠
６１  上横枠            ６２  凹溝
６３  パッキン材        ６４  オープンパネル
６５  縦枠              ６６  下横枠
６７  上横枠            ６８  ドアパネル
６９  ドア枠            ７０コーナーカバー
７１  連結支柱          ７２  目地部材
７３  カバー部材        ７４  受部材
Ｆ  床面                Ｓ  天井
【図１】
2005155275.tif 000003
【図２】
2005155275.tif 000004
【図３】
2005155275.tif 000005
【図４】
2005155275.tif 000006
【図５】
2005155275.tif 000007
【図６】
2005155275.tif 000008
【図７】
2005155275.tif 000009
【図８】
2005155275.tif 000010
【図９】
2005155275.tif 000011
【図１０】
2005155275.tif 000012
【図１１】
2005155275.tif 000013
【図１２】
2005155275.tif 000014
【図１３】
2005155275.tif 000015
【図１４】
2005155275.tif 000016
【図１５】
2005155275.tif 000017